(57)【要約】  本開示は、ランダムアクセス方法及び関連機器を提供する。該方法において、第１メッセージをネットワーク側機器に送信し、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、前記目標設定情報のうち、前記端末機器の目標関連パラメータに関連する設定情報を、前記関連関係に基づいて取得する。
2021531702.tif 000002
【特許請求の範囲】
【請求項１】
端末機器に応用されるランダムアクセス方法であって、
第１メッセージをネットワーク側機器に送信し、
目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、
前記目標設定情報のうち、前記端末機器の目標関連パラメータに関連する設定情報を、前記関連関係に基づいて取得する、ランダムアクセス方法。
【請求項２】
前記第１メッセージは、２段階アクセス手順におけるＭｓｇ１であり、前記応答メッセージは、２段階アクセス手順におけるＭｓｇ２である、請求項１に記載の方法。
【請求項３】
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項２に記載の方法。
【請求項４】
前記端末機器は、Ｍｓｇ２に運ばれるプリアンブル識別子が、Ｍｓｇ１で送信したプリアンブル識別子であると判断し、
前記端末機器の動作は、
該プリアンブル識別子に関連する競合解決識別子を競合解決に用いること、又は、該プリアンブル識別子に関連する上りリソース割当情報をＭｓｇ２のフィードバック情報の送信に用いること、又は、該プリアンブル識別子に関連する端末機器識別子を端末機器の識別子とすること、又は、該プリアンブル識別子に関連する無線接続設定情報を端末機器の無線接続設定情報とすることの少なくとも一方を含む、請求項３に記載の方法。
【請求項５】
前記端末機器が競合解決識別子に基づいて競合解決を判断した後、端末機器の動作は、
該競合解決識別子に関連する上りリソース割当情報をＭｓｇ２のフィードバック情報の送信に用いること、又は、該競合解決識別子に関連する端末機器識別子を接続状態ＵＥの識別子とすること、又は、該競合解決識別子に関連する無線接続設定情報を端末機器の無線接続設定情報とすることの少なくとも一方を含む、請求項３又は４に記載の方法。
【請求項６】
前記関連パラメータは、プリアンブル識別子及び競合解決識別子の少なくとも一方を含む、請求項３に記載の方法。
【請求項７】
前記上りリソース割当情報は、データチャネルの上りリソース割当情報及び制御チャネルの上りリソース割当情報の少なくとも一方を含む、請求項３に記載の方法。
【請求項８】
前記の目標設定情報が運ばれたＭｓｇ２を前記ネットワーク側機器から受信することの後に、
前記Ｍｓｇ２に対するフィードバックメッセージを前記ネットワーク側機器に送信することを更に含む、請求項２に記載の方法。
【請求項９】
前記フィードバックメッセージは、制御チャネルフィードバック情報及びデータチャネルフィードバックメッセージの少なくとも一方を含む、請求項８に記載の方法。
【請求項１０】
前記データチャネルフィードバックメッセージは、物理上り共有チャネルＰＵＳＣＨの端末機器識別子及びセル無線ネットワーク一時識別子Ｃ−ＲＮＴＩの少なくとも一方を含む、請求項９に記載の方法。
【請求項１１】
前記の前記Ｍｓｇ２に対するフィードバックメッセージを前記ネットワーク側機器に送信することは、
競合解決が成功したと決定された場合、前記Ｍｓｇ２に対するフィードバックメッセージを前記ネットワーク側機器に送信すること、又は、前記Ｍｓｇ２の受信に成功した場合、前記Ｍｓｇ２に対するフィードバックメッセージを前記ネットワーク側機器に送信することを含む、請求項８に記載の方法。
【請求項１２】
前記の前記Ｍｓｇ２に対するフィードバックメッセージを前記ネットワーク側機器に送信することは、
前記Ｍｓｇ２に対するフィードバックメッセージをＨＡＲＱ方式で前記ネットワーク側機器に送信することを含む、請求項８に記載の方法。
【請求項１３】
前記の前記Ｍｓｇ２に対するフィードバックメッセージを前記ネットワーク側機器に送信することの後に、
前記フィードバックメッセージの再送を指示する第１指示情報を前記ネットワーク側機器から受信した場合、前記Ｍｓｇ２に対するフィードバックメッセージを前記ネットワーク側機器に再送することを更に含む、請求項８に記載の方法。
【請求項１４】
前記フィードバックメッセージがデータチャネルフィードバックメッセージである場合、
前記フィードバックメッセージの時刻起動タイマを前記ネットワーク側機器に送信することと、
前記タイマがタイムアウトしていない場合、前記フィードバックメッセージの再送が不要であることを指示する第２指示情報を前記ネットワーク側機器から受信すると、前記タイマを停止することと、
前記タイマがタイムアウトした場合、前記フィードバックメッセージを前記ネットワーク側機器に再送することとを更に含む、請求項８に記載の方法。
【請求項１５】
前記フィードバックメッセージがデータチャネルフィードバックメッセージである場合、
前記フィードバックメッセージの時刻起動タイマを前記ネットワーク側機器に送信することと、
前記タイマがタイムアウトしていない場合、前記フィードバックメッセージの再送を指示する第１指示情報を前記ネットワーク側機器から受信すると、前記タイマを再起動し、前記フィードバックメッセージを前記ネットワーク側機器に再送することと、
前記タイマがタイムアウトした場合、前記ネットワーク側機器への前記フィードバックメッセージの再送を停止することとを更に含む、請求項８に記載の方法。
【請求項１６】
ネットワーク側機器に応用されるランダムアクセス方法であって、
端末機器から送信された第１メッセージを受信することと、
目標設定情報が運ばれた応答メッセージを前記端末機器に送信することとを含み、
ここで、前記目標設定情報の少なくとも一部の設定情報と、端末機器が前記応答メッセージを受信する前に取得可能なパラメータである関連パラメータとの間に関連関係が存在する、ランダムアクセス方法。
【請求項１７】
前記第１メッセージは、２段階アクセス手順におけるＭｓｇ１であり、前記応答メッセージは、２段階アクセス手順におけるＭｓｇ２である、請求項１６に記載の方法。
【請求項１８】
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項１７に記載の方法。
【請求項１９】
前記関連パラメータは、プリアンブル識別子及び競合解決識別子の少なくとも一方を含む、請求項１８に記載の方法。
【請求項２０】
前記上りリソース割当情報は、データチャネルの上りリソース割当情報及び制御チャネルの上りリソース割当情報の少なくとも一方を含む、請求項１８に記載の方法。
【請求項２１】
前記の目標設定情報が運ばれた応答メッセージを前記端末機器に送信することは、具体的には、目標設定情報が運ばれたＭｓｇ２をＨＡＲＱ方式で前記端末機器に送信する、請求項１７に記載の方法。
【請求項２２】
前記の目標設定情報が運ばれた応答メッセージを前記端末機器に送信することの後に、
前記端末機器から送信された前記Ｍｓｇ２に対するフィードバックメッセージを受信することを更に含む、請求項１７に記載の方法。
【請求項２３】
前記端末機器から送信されたＭｓｇ２に対するフィードバックメッセージを受信しなかった場合、又は前記フィードバックメッセージが再送を指示する場合、前記Ｍｓｇ２を前記端末機器に再送することを更に含む、請求項２２に記載の方法。
【請求項２４】
前記フィードバックメッセージは、制御チャネルフィードバック情報及びデータチャネルフィードバックメッセージの少なくとも一方を含む、請求項２２に記載の方法。
【請求項２５】
前記データチャネルフィードバックメッセージは、物理上り共有チャネルＰＵＳＣＨの端末機器識別子及びセル無線ネットワーク一時識別子Ｃ−ＲＮＴＩの少なくとも一方を含む、請求項２４に記載の方法。
【請求項２６】
前記の前記端末機器から送信されたＭｓｇ２に対するフィードバックメッセージを受信することの後に、
前記フィードバックメッセージを再送するか否かを前記端末機器に指示する指示情報を、前記端末機器に送信することを更に含む、請求項２２に記載の方法。
【請求項２７】
第１送信モジュールと、第１受信モジュールと、取得モジュールを含む端末機器であって、
第１送信モジュールは、第１メッセージをネットワーク側機器に送信し、
第１受信モジュールは、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、
取得モジュールは、前記目標設定情報のうち、前記端末機器の目標関連パラメータに関連する設定情報を、前記関連関係に基づいて取得する、端末機器。
【請求項２８】
前記第１メッセージは、２段階アクセス手順におけるＭｓｇ１であり、前記応答メッセージは、２段階アクセス手順におけるＭｓｇ２である、請求項２７に記載の端末機器。
【請求項２９】
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項２８に記載の端末機器。
【請求項３０】
前記端末機器は、Ｍｓｇ２に運ばれるプリアンブル識別子が、Ｍｓｇ１で送信したプリアンブル識別子であると判断し、
前記端末機器の動作は、
該プリアンブル識別子に関連する競合解決識別子を競合解決に用いること、又は、該プリアンブル識別子に関連する上りリソース割当情報をＭｓｇ２のフィードバック情報の送信に用いること、又は、該プリアンブル識別子に関連する端末機器識別子を端末機器の識別子とすること、又は、該プリアンブル識別子に関連する無線接続設定情報を端末機器の無線接続設定情報とすることの少なくとも一方を含む、請求項２９に記載の端末機器。
【請求項３１】
前記端末機器が競合解決識別子に基づいて競合解決を判断した後、端末機器の動作は、
該競合解決識別子に関連する上りリソース割当情報をＭｓｇ２のフィードバック情報の送信に用いること、又は、該競合解決識別子に関連する端末機器識別子を接続状態ＵＥの識別子とすること、又は、該競合解決識別子に関連する無線接続設定情報を端末機器の無線接続設定情報とすることの少なくとも一方を含む、請求項２９又は３０に記載の方法。
【請求項３２】
前記関連パラメータは、プリアンブル識別子及び競合解決識別子の少なくとも一方を含む、請求項２９に記載の端末機器。
【請求項３３】
前記の目標設定情報が運ばれたＭｓｇ２を前記ネットワーク側機器から受信することの後に、前記Ｍｓｇ２に対するフィードバックメッセージを前記ネットワーク側機器に送信する第２送信モジュールを更に含む、請求項２８に記載の端末機器。
【請求項３４】
端末機器から送信された第１メッセージを受信する第１受信モジュールと、
目標設定情報が運ばれた応答メッセージを前記端末機器に送信する第１送信モジュールとを含み、
ここで、前記目標設定情報の少なくとも一部の設定情報と、端末機器が前記応答メッセージを受信する前に取得可能なパラメータである関連パラメータとの間に関連関係が存在する、ネットワーク側機器。
【請求項３５】
前記第１メッセージは、２段階アクセス手順におけるＭｓｇ１であり、前記応答メッセージは、２段階アクセス手順におけるＭｓｇ２である、請求項３４に記載のネットワーク側機器。
【請求項３６】
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項３５に記載のネットワーク側機器。
【請求項３７】
前記関連パラメータは、プリアンブル識別子及び競合解決識別子の少なくとも一方を含む、請求項３６に記載のネットワーク側機器。
【請求項３８】
前記第１送信モジュールは、具体的には、目標設定情報が運ばれたＭｓｇ２をＨＡＲＱ方式で前記端末機器に送信する、請求項３５に記載のネットワーク側機器。
【請求項３９】
前記の目標設定情報が運ばれた応答メッセージを前記端末機器に送信することの後に、前記端末機器から送信された前記Ｍｓｇ２に対するフィードバックメッセージを受信する第２受信モジュールを更に含む、請求項３５に記載のネットワーク側機器。
【請求項４０】
前記の前記端末機器から送信されたＭｓｇ２に対するフィードバックメッセージを受信することの後に、前記フィードバックメッセージを再送するか否かを前記端末機器に指示する指示情報を、前記端末機器に送信する第３送信モジュールを更に含む、請求項３９に記載のネットワーク側機器。
【請求項４１】
プロセッサと、メモリと、前記メモリに格納されて前記プロセッサで実行可能なコンピュータプログラムとを含む端末機器であって、
前記コンピュータプログラムが前記プロセッサによって実行されると、請求項１〜１５のいずれか１項に記載のランダムアクセス方法のステップが実現される、端末機器。
【請求項４２】
プロセッサと、メモリと、前記メモリに格納されて前記プロセッサで実行可能なコンピュータプログラムとを含むネットワーク側機器であって、
前記コンピュータプログラムが前記プロセッサによって実行されると、請求項１６〜２６のいずれか１項に記載のランダムアクセス方法のステップが実現される、ネットワーク側機器。
【請求項４３】
コンピュータプログラムが格納されているコンピュータ読み取り可能な記憶媒体であって、
前記コンピュータプログラムがプロセッサによって実行されると、請求項１〜１５のいずれか１項に記載のランダムアクセス方法のステップが実現され、又は、請求項１６〜２６のいずれか１項に記載のランダムアクセス方法のステップが実現される、コンピュータ読み取り可能な記憶媒体。
【発明の詳細な説明】
【技術分野】
【０００１】
関連出願の相互参照
本願は、２０１８年７月２６日に中国特許庁に提出された中国特許出願２０１８１０８３５７３５．４の優先権を主張し、その全ての内容が援用によりここに取り込まれる。
【０００２】
本開示は、通信技術分野に係り、特にランダムアクセス方法及び関連機器に係る。
【背景技術】
【０００３】
ランダムアクセスプロセスにおいて、ネットワーク側機器は、複数の端末機器から送信されるランダムアクセスメッセージ（例えばＭｓｇ１又はＭｓｇ３等）を受信し、タイミングアドバンス、バックオフパラメータ、上り送信リソース等の設定情報が運ばれる応答メッセージ（例えばＭｓｇ２又はＭｓｇ４等）を複数の端末機器にフィードバックする。しかしながら、ネットワーク側機器から複数の端末機器に応答メッセージをフィードバックする場合、複数の端末機器がいずれも応答メッセージの設定情報に基づいて後続のランダムアクセスプロセスを行うため、複数の端末機器間で衝突が発生する場合が生じ易い。
【発明の概要】
【発明が解決しようとする課題】
【０００４】
本開示の実施例は、ランダムアクセスプロセスで複数の端末機器間の衝突発生確率を減少するために、ランダムアクセス方法及び関連機器を提供する。
【課題を解決するための手段】
【０００５】
第１態様として、本開示の実施例は、ランダムアクセス方法を提供する。該方法において、第１メッセージをネットワーク側機器に送信し、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、前記目標設定情報のうち、前記端末機器の目標関連パラメータに関連する設定情報を、前記関連関係に基づいて取得する。
【０００６】
第２態様として、本開示の実施例は、ランダムアクセス方法を更に提供する。該方法において、端末機器から送信された第１メッセージを受信することと、目標設定情報が運ばれた応答メッセージを前記端末機器に送信することとを含み、ここで、前記目標設定情報の少なくとも一部の設定情報と、端末機器が前記応答メッセージを受信する前に取得可能なパラメータである関連パラメータとの間に関連関係が存在する。
【０００７】
第３態様として、本開示の実施例は、端末機器を更に提供する。該端末機器は、第１送信モジュールと、第１受信モジュールと、取得モジュールを含む。第１送信モジュールは、第１メッセージをネットワーク側機器に送信する。第１受信モジュールは、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在する。取得モジュールは、前記目標設定情報のうち、前記端末機器の目標関連パラメータに関連する設定情報を、前記関連関係に基づいて取得する。
【０００８】
第４態様として、本開示の実施例は、ネットワーク側機器を更に提供する。該ネットワーク側機器は、端末機器から送信された第１メッセージを受信する第１受信モジュールと、目標設定情報が運ばれた応答メッセージを前記端末機器に送信する第１送信モジュールとを含み、ここで、前記目標設定情報の少なくとも一部の設定情報と、端末機器が前記応答メッセージを受信する前に取得可能なパラメータである関連パラメータとの間に関連関係が存在する。
【０００９】
第５態様として、本開示の実施例は、プロセッサと、メモリと、前記メモリに格納されて前記プロセッサで実行可能なコンピュータプログラムとを含む端末機器を更に提供し、前記コンピュータプログラムが前記プロセッサによって実行されると、上記第１態様に記載のランダムアクセス方法のステップが実現される。
【００１０】
第６態様として、本開示の実施例は、プロセッサと、メモリと、前記メモリに格納されて前記プロセッサで実行可能なコンピュータプログラムとを含むネットワーク側機器を更に提供し、前記コンピュータプログラムが前記プロセッサによって実行されると、上記第２態様に記載のランダムアクセス方法のステップが実現される。
【００１１】
第７態様として、本開示の実施例は、コンピュータプログラムが格納されているコンピュータ読み取り可能な記憶媒体を更に提供し、前記コンピュータプログラムがプロセッサによって実行されると、上記第１態様に記載のランダムアクセス方法のステップが実現され、又は、上記第２態様に記載のランダムアクセス方法のステップが実現される。
【発明の効果】
【００１２】
本開示の実施例において、第１メッセージをネットワーク側機器に送信し、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、前記目標設定情報のうち、前記端末機器の目標関連パラメータに関連する設定情報を、前記関連関係に基づいて取得する。それによって、各端末機器は、対応する設定情報を関連パラメータに基づいて取得することができ、ランダムアクセスプロセスで複数の端末機器間の衝突発生確率が減少する。
【図面の簡単な説明】
【００１３】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００１４】
【図１】図１は、本開示の実施例に係る２段階ランダムアクセス方法のフローチャートである。
【図２】図２は、本開示の実施例の応用可能なネットワーク構造図である。
【図３】図３は、本開示の実施例に係るランダムアクセス方法のフローチャートである。
【図４】図４は、本開示の実施例に係る別のランダムアクセス方法のフローチャートである。
【図５】図５は、本開示の実施例に係る別のランダムアクセス方法のフローチャートである。
【図６】図６は、本開示の実施例に係る端末機器の構造図である。
【図７】図７は、本開示の実施例に係るネットワーク側機器の構造図である。
【図８】図８は、本開示の実施例に係る別の端末機器の構造図である。
【図９】図９は、本開示の実施例に係る別のネットワーク側機器の構造図である。
【発明を実施するための形態】
【００１５】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本願の保護範囲に属するものである。
【００１６】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本願の実施例が、例えば、本明細書に図示又は記載されるもの以外の順序でも実施されるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないもの又はそれらのプロセス、方法、製品又は装置に固有の他の工程又はユニットを含んでもよい。本明細書及び特許請求の範囲において、「及び／又は」は、連結された対象の少なくとも１つを意味する。例えば、Ａ及び／又はＢ及び／又はＣは、Ａのみ、Ｂのみ、Ｃのみ、ＡとＢの両方が存在すること、ＢとＣの両方が存在すること、ＡとＣの両方が存在すること、及び、ＡとＢとＣがすべて存在することの７種類のケースを含むことを示す。
【００１７】
理解の便宜を図るため、以下、２段階ランダムアクセスを説明する。
【００１８】
例えば、図１に示すように、２段階ランダムアクセスプロセスは、以下のステップを含む。
【００１９】
ステップＳ１００において、ネットワーク側機器は、端末機器に対して２段階ランダムアクセスの設定情報を設定する。
【００２０】
本ステップにおいて、上記設定情報は、Ｍｓｇ１の送信リソース情報及びＭｓｇ２の受信リソース情報を含む。
【００２１】
ステップＳ１０１において、端末機器は、Ｍｓｇ１をネットワーク側機器に送信する。
【００２２】
本ステップにおいて、端末機器は、２段階ランダムアクセス（即ち２−Ｓｔｅｐ  ＲＡＣＨ）プロセスをトリガし、Ｍｓｇ１をネットワーク側機器に送信する。ここで、Ｍｓｇ１は、データ部分（例えば無線リソース制御メッセージ）及び制御部分（例えば端末機器識別子（例えばプリアンブル識別子））を含んでもよいし、データ部分のみを含んでもよい。
【００２３】
ステップＳ１０２において、ネットワーク側機器は、Ｍｓｇ２を端末機器に送信する。
【００２４】
本ステップにおいて、Ｍｓｇ２には、端末機器識別子（ＵＥ  ＩＤ）及び応答指示（ＡＣＫ  Ｉｎｄｉｃａｔｉｏｎ）が運ばれる。
【００２５】
図２を参照する。図２は、本開示の実施例の応用可能なネットワーク構造図である。図２に示すように、端末機器１１とネットワーク側機器１２が含まれる。ここで、端末機器１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末機器側機器である。なお、本開示の実施例では、端末機器１１の具体的な種類を限定しない。ネットワーク側機器１２は、マクロ基地局、ＬＴＥ  ｅＮＢ、５Ｇ  ＮＲ  ＮＢ、ｇＮＢなどの基地局であってもよく、低電力ノードＬＰＮ（ｌｏｗ  ｐｏｗｅｒ  ｎｏｄｅ）ｐｉｃｏ、ｆｅｍｔｏなどのスモール基地局であってもよく、又はアクセスポイントＡＰ（ａｃｃｅｓｓ  ｐｏｉｎｔ）である。基地局は、中央ユニットＣＵ（ｃｅｎｔｒａｌ  ｕｎｉｔ）及びその管理／制御下の複数の伝送受信ポイントＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器１２の具体的な種類を限定しない。
【００２６】
本開示の実施例において、端末機器１１は、ネットワーク側機器１２に第１メッセージを送信する。ここで、第１メッセージは、異なるアクセスプロセスの異なるメッセージであり、例えば競合ランダムアクセスプロセスのＭｓｇ１又はＭｓｇ３など、又は２段階ランダムアクセスプロセスのＭｓｇ１などである。ここで、前記競合ランダムアクセスプロセスとして、端末機器は、上り制御チャネル（例えばＰＲＡＣＨ）でランダムアクセス要求情報Ｍｓｇ１を送信し、ネットワーク側は、Ｍｓｇ１の内容に応じて下りデータチャネル（例えばＰＤＳＣＨ）でランダムアクセス応答情報Ｍｓｇ２を送信し、端末機器は、Ｍｓｇ２で指示される上りリソースに応じて上りデータチャネル（例えばＰＵＳＣＨ）で端末機器の識別子情報Ｍｓｇ３を送信し、ネットワーク側は、Ｍｓｇ３の内容に応じて下りデータチャネル（例えばＰＤＳＣＨ）で競合解決識別子情報Ｍｓｇ４を送信する。ネットワーク側機器１２は、受信した第１メッセージに応答して、第１メッセージに対応する応答メッセージを端末機器１１に送信する。例えば、第１メッセージが競合ランダムアクセスプロセスにおけるＭｓｇ１である場合には、応答メッセージは、競合ランダムアクセスプロセスにおけるＭｓｇ２であり、第１メッセージが競合ランダムアクセスプロセスにおけるＭｓｇ３である場合、応答メッセージは、競合ランダムアクセスプロセスにおけるＭｓｇ４であり、第１メッセージが２段階ランダムアクセスプロセスにおけるＭｓｇ１である場合、応答メッセージは、２段階ランダムアクセスプロセスにおけるＭｓｇ２である。
【００２７】
上記応答メッセージには、目標設定情報が運ばれ、且つ上記目標設定情報の少なくとも一部の設定情報と、端末機器が前記応答メッセージを受信する前に取得可能なパラメータである関連パラメータとの間に関連関係が存在する。
【００２８】
応答メッセージがＭｓｇ２であることを例とし、目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【００２９】
なお、上記目標設定情報は、複数の端末機器のための複数の設定情報を含んでもよい。例えば、上記目標設定情報は、複数のプリアンブル識別子、複数のタイミングアドバンス、複数のＭｓｇ２のフィードバックメッセージ伝送リソースを指示する上りリソース割当情報、複数の端末機器識別子、複数の競合解決識別子、及び複数の無線接続設定情報等の少なくとも一方を含む。
【００３０】
上記関連パラメータは、端末機器が前記応答メッセージを受信する前に取得可能なパラメータであり、例えばプリアンブル識別子や競合解決識別子などである。よって、端末機器１１は、前記関連関係に基づいて、前記目標設定情報のうち、前記端末機器１１の目標関連パラメータに関連する設定情報を取得することができる。例えば、上りリソース割当情報が競合解決識別子に関連付けられ、端末機器１１は、ある競合解決識別子について競合解決を判断すると、該競合解決識別子に関連する上りリソース割当情報を、Ｍｓｇ２のフィードバック情報の送信に用いる。
【００３１】
以下、例を用いて説明する。
【００３２】
端末機器Ａ１〜端末機器Ａ５の５つの端末機器が存在し、ネットワーク側機器に対して第１メッセージを送信するとする。ネットワーク側機器は、第１メッセージを受信すると、応答メッセージを生成する。ここで、応答メッセージには、５つの端末機器に対して、上りリソース割当情報Ｂ１〜上りリソース割当情報Ｂ５の上りリソース割当情報がそれぞれ設定される。ここで、上りリソース割当情報Ｂ１〜上りリソース割当情報Ｂ５は、関連パラメータＸ１〜関連パラメータＸ５にそれぞれ関連する。
【００３３】
端末機器Ａ１〜端末機器Ａ５は、応答メッセージを受信すると、その関連パラメータを識別し、その関連パラメータに関連する上りリソース割当情報によって指示される伝送リソースを利用することができる。具体的には、端末機器Ａ１は、関連パラメータＸ１がその関連パラメータであることを識別すると、関連パラメータＸ１に関連する上りリソース割当情報Ｂ１によって指示される伝送リソースを利用することができる。端末機器Ａ２は、関連パラメータＸ２がその関連パラメータであることを識別すると、関連パラメータＸ２に関連する上りリソース割当情報Ｂ２によって指示される伝送リソースを利用することができる。端末機器Ａ３は、関連パラメータＸ３がその関連パラメータであることを識別すると、関連パラメータＸ３に関連する上りリソース割当情報Ｂ３によって指示される伝送リソースを利用することができる。端末機器Ａ４は、関連パラメータＸ４がその関連パラメータであることを識別すると、関連パラメータＸ４に関連する上りリソース割当情報Ｂ４によって指示される伝送リソースを利用することができる。端末機器Ａ５は、関連パラメータＸ５がその関連パラメータであることを識別すると、関連パラメータＸ５に関連する上りリソース割当情報Ｂ５によって指示される伝送リソースを利用することができる。
【００３４】
任意選択で、ネットワーク側機器１２は、目標設定情報が運ばれたＭｓｇ２を、ハイブリッド自動再送要求ＨＡＲＱ（Ｈｙｂｒｉｄ  Ａｕｔｏｍａｔｉｃ  Ｒｅｐｅａｔ  Ｒｅｑｕｅｓｔ）方式で端末機器１１に送信する。ここで、ＨＡＲＱの設定情報（例えばＨＡＲＱプロセス識別子及び／又はＨＡＲＱ冗長バージョン識別子など）は、ネットワーク側によって設定され、又は、プロトコルで予め定義される。
【００３５】
任意選択で、端末機器１１は、目標設定情報が運ばれたＭｓｇ２を前記ネットワーク側機器から受信した後に、前記Ｍｓｇ２に対するフィードバックメッセージを前記ネットワーク側機器１２に送信する。
【００３６】
上記フィードバックメッセージは、制御チャネルフィードバック情報及びデータチャネルフィードバックメッセージの少なくとも一方を含む。ここで、データチャネルフィードバックメッセージは、物理上り共有チャネルＰＵＳＣＨ（Ｐｈｙｓｉｃａｌ  Ｕｐｌｉｎｋ  Ｓｈａｒｅｄ  Ｃｈａｎｎｅｌ）の端末機器識別子及びセル無線ネットワーク一時識別子Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）の少なくとも一方を含む。
【００３７】
一実施形態において、端末機器１１は、競合解決が成功したと決定した場合、前記Ｍｓｇ２に対するフィードバックメッセージを前記ネットワーク側機器１２に送信し、競合解決に成功したことをネットワーク側機器１２に通知する。
【００３８】
別の実施形態において、端末機器１１は、前記Ｍｓｇ２の受信に成功した場合、前記Ｍｓｇ２に対するフィードバックメッセージを前記ネットワーク側機器１２に送信し、前記Ｍｓｇ２の受信に成功したことをネットワーク側機器１２に通知し、よって、ネットワーク側機器１２は、Ｍｓｇ２の再送を停止する。
【００３９】
任意選択で、端末機器１１は、前記Ｍｓｇ２に対するフィードバックメッセージをＨＡＲＱ方式で前記ネットワーク側機器１２に送信する。
【００４０】
任意選択で、ネットワーク側機器１２は、前記フィードバックメッセージを受信すると、前記フィードバックメッセージを再送するか否かを前記端末機器に指示する指示情報を前記端末機器１１に送信する。例えば、指示情報が第１指示情報である場合、前記フィードバックメッセージを再送するように前記端末機器に指示し、指示情報が第２指示情報である場合、前記フィードバックメッセージの再送が不要であることを前記端末機器に指示する。
【００４１】
本開示の実施例に係るランダムアクセス方法において、目標設定情報の少なくとも一部の設定情報と関連パラメータとの間に関連関係が存在するため、端末機器は、その関連パラメータに関連する設定情報を上記目標設定情報から上記関連関係に基づいて取得することができ、ランダムアクセスプロセスで複数の端末機器間の衝突発生確率を減少することができる。また、同一の応答メッセージで複数の端末機器に対して情報を設定することができるため、情報設定効率を向上させ、システムリソースを節約することができる。
【００４２】
本開示の実施例に係るランダムアクセス方法は、端末機器に応用される。図３を参照すると、図３は、本開示の実施例に係るランダムアクセス方法のフローチャートであり、図３に示すように、以下のステップを含む。
【００４３】
ステップ３０１において、第１メッセージをネットワーク側機器に送信する。
【００４４】
本開示の実施例において、第１メッセージは、異なるアクセスプロセスの異なるメッセージであり、例えば競合ランダムアクセスプロセスのＭｓｇ１又はＭｓｇ３など、又は２段階ランダムアクセスプロセスのＭｓｇ１などである。
【００４５】
ステップ３０２において、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在する。
【００４６】
本開示の実施例において、上記応答メッセージは、第１メッセージに対応する応答メッセージである。例えば、第１メッセージが競合ランダムアクセスプロセスにおけるＭｓｇ１である場合には、応答メッセージは、競合ランダムアクセスプロセスにおけるＭｓｇ２であり、第１メッセージが競合ランダムアクセスプロセスにおけるＭｓｇ３である場合、応答メッセージは、競合ランダムアクセスプロセスにおけるＭｓｇ４であり、第１メッセージが２段階ランダムアクセスプロセスにおけるＭｓｇ１である場合、応答メッセージは、２段階ランダムアクセスプロセスにおけるＭｓｇ２である。
【００４７】
上記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含むが、それらに限られない。
【００４８】
なお、上記目標設定情報は、複数の設定情報を含んでもよい。例えば、上記目標設定情報は、複数のプリアンブル識別子、複数のタイミングアドバンス、複数のＭｓｇ２のフィードバックメッセージ伝送リソースを指示する上りリソース割当情報、複数の端末機器識別子、複数の競合解決識別子、及び複数の無線接続設定情報等の少なくとも一方を含む。
【００４９】
上記関連パラメータは、端末機器が前記応答メッセージを受信する前に取得可能なパラメータであり、例えばプリアンブル識別子や競合解決識別子などである。
【００５０】
ステップ３０３において、前記目標設定情報のうち、前記端末機器の目標関連パラメータに関連する設定情報を、前記関連関係に基づいて取得する。
【００５１】
本開示の実施例において、端末機器は、前記端末機器の目標関連パラメータに関する設定情報を目標設定情報から関連関係に基づいて取得することができる。例えば、上りリソース割当情報とプリアンブル識別子との間に関連関係が存在すれば、端末機器は、送信したプリアンブル識別子を応答メッセージから識別することができ、それによって、送信したプリアンブル識別子に関連する上りリソース割当情報を取得することができる。
【００５２】
本開示の実施例に係るランダムアクセス方法において、目標設定情報の少なくとも一部の設定情報と関連パラメータとの間に関連関係が存在するため、端末機器は、その関連パラメータに関連する設定情報を上記目標設定情報から上記関連関係に基づいて取得することができ、ランダムアクセスプロセスで複数の端末機器間の衝突発生確率を減少することができる。
【００５３】
任意選択で、前記第１メッセージは、２段階アクセス手順におけるＭｓｇ１であり、前記応答メッセージは、２段階アクセス手順におけるＭｓｇ２である。
【００５４】
任意選択で、前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【００５５】
本開示の実施例において、上記プリアンブル識別子（Ｐｒｅａｍｂｌｅ  ＩＤ）は、ランダムアクセスプリアンブル識別子と呼ばれてもよい。上記タイミングアドバンスは、ＴＡ（Ｔｉｍｉｎｇ  Ａｄｖａｎｃｅ）である。
【００５６】
上記上りリソース割当情報は、上りグラント（ＵＬ  ｇｒａｎｔ）、ＨＡＲＱフィードバックリソース又は物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）リソースなどの指示情報を含む。
【００５７】
任意選択で、前記上りリソース割当情報は、データチャネルの上りリソース割当情報及び制御チャネルの上りリソース割当情報の少なくとも一方を含む。
【００５８】
本開示の実施例において、上記データチャネルの上りリソース割当情報は、ＰＵＳＣＨの上りグラント（ＵＬ  ｇｒａｎｔ）を含み、上記制御チャネルの上りリソース割当情報は、ＨＡＲＱフィードバックリソース又はＰＵＣＣＨリソースの指示情報を含む。
【００５９】
任意選択で、Ｍｓｇ２フィードバック情報のためのリソース設定情報がネットワーク側機器によって（例えば前記ステップＳ１００で）予め設定された場合、上記上りリソース割当情報は、Ｍｓｇ２フィードバック情報のためのリソース設定情報の一部又はすべてのリソースの指示情報である。例えば、ＰＵＣＣＨ送信にネットワーク側機器が予めサブフレーム０／２／４／６／８を設定すると、上記上りリソース割当情報は、更にサブフレーム０をＰＵＣＣＨ送信に用いると指示する。
【００６０】
上記端末機器識別子（ＵＥ識別子）は、Ｃ−ＲＮＴＩである。上記競合解決識別子（ＵＥ  Ｃｏｎｔｅｎｔｉｏｎ  Ｒｅｓｏｌｕｔｉｏｎ  ＩＤ）は、競合解決に用いられる。本開示の実施例は、競合解決識別子をＭｓｇ２に運ぶことで、シグナリングオーバーヘッドを節約することができる。
【００６１】
上記無線接続設定情報は、無線リソース制御確立メッセージ（ＲＲＣ  Ｓｅｔｕｐメッセージ）である。
【００６２】
なお、上記目標設定情報は、複数の設定情報を含んでもよい。例えば、上記目標設定情報は、複数のプリアンブル識別子、複数のタイミングアドバンス、複数のＭｓｇ２のフィードバックメッセージ伝送リソースを指示する上りリソース割当情報、複数の端末機器識別子、複数の競合解決識別子、及び複数の無線接続設定情報等の少なくとも一方を含む。
【００６３】
なお、端末機器がＭｓｇ１でプリアンブル（Ｐｒｅａｍｂｌｅ）識別子を送信してから、初めてＭｓｇ２にプリアンブル識別子を運ぶことができる。
【００６４】
任意選択で、前記関連パラメータは、プリアンブル識別子及び競合解決識別子の少なくとも一方を含む。
【００６５】
本開示の実施例において、プリアンブル識別子及び競合解決識別子は、いずれも端末機器が前記応答メッセージを受信する前に取得可能なパラメータである。実際の応用において、Ｍｓｇ２に運ばれるプリアンブル識別子は、通常、端末機器から送信されるＭｓｇ１に運ばれるプリアンブル識別子であり、Ｍｓｇ２に運ばれる競合解決識別子は、Ｍｓｇ１のコードストリームに基づいて得られる競合解決識別子である。よって、端末機器は、前記応答メッセージを受信する前に、プリアンブル識別子及び競合解決識別子を取得することができる。
【００６６】
本開示の実施例において、タイミングアドバンスは、プリアンブル識別子に関連付けられる。競合解決識別子は、プリアンブル識別子に関連付けられる。上りリソース割当情報は、競合解決識別子に関連付けられてもよいし、プリアンブル識別子に関連付けられてもよい。端末機器識別子は、競合解決識別子に関連付けられてもよいし、プリアンブル識別子に関連付けられてもよい。無線接続設定情報は、競合解決識別子に関連付けられてもよいし、プリアンブル識別子に関連付けられてもよい。
【００６７】
なお、競合解決識別子は、通常唯一であるため、本開示の実施例において、競合解決識別子と目標設定情報の少なくとも一部の設定情報とを関連付けることによって、更に端末機器間の衝突確率を減少させることができる。
【００６８】
なお、上記関連方式は、実際のニーズに応じて任意に組み合わせてもよく、本開示の実施例において、これについて限定しない。
【００６９】
任意選択で、前記の目標設定情報が運ばれたＭｓｇ２を前記ネットワーク側機器から受信することの後に、前記方法は、前記Ｍｓｇ２に対するフィードバックメッセージを前記ネットワーク側機器に送信することを更に含む。
【００７０】
本開示の実施例において、端末機器は、目標設定情報が運ばれたＭｓｇ２を前記ネットワーク側機器から受信した後に、前記Ｍｓｇ２に対するフィードバックメッセージをネットワーク側機器に送信し、それによって、端末機器がＭｓｇ２のデータ復号に成功したか否か、競合解決に成功したか否かを指示する。
【００７１】
任意選択で、前記フィードバックメッセージは、制御チャネルフィードバック情報及びデータチャネルフィードバックメッセージの少なくとも一方を含む。
【００７２】
本開示の実施例において、制御チャネルでフィードバックするようにネットワーク側機器が設定した場合、ＨＡＲＱ  ＡＣＫ情報などの制御チャネルフィードバック情報は、端末機器からフィードバックされるが、データチャネルでフィードバックするようにネットワーク側機器が設定した場合、ＰＵＳＣＨに運ばれる制御情報などのデータチャネルフィードバック情報は、端末機器からフィードバックされる。任意選択で、端末機器からフィードバックすべきフィードバックメッセージは、プロトコルで予め定義されてもよい。
【００７３】
任意選択で、前記データチャネルフィードバックメッセージは、物理上り共有チャネルＰＵＳＣＨの端末機器識別子及びセル無線ネットワーク一時識別子Ｃ−ＲＮＴＩの少なくとも一方を含む。
【００７４】
本開示の実施例において、ＰＵＳＣＨの端末機器識別子は、ＰＵＳＣＨのＣ−ＲＮＴＩスクランブルコードである。
【００７５】
なお、メディアアクセス制御ＭＡＣ（Ｍｅｄｉａ  Ａｃｃｅｓｓ  Ｃｏｎｔｒｏｌ）制御エレメントＣＥ（Ｃｏｎｔｒｏｌ  Ｅｌｅｍｅｎｔ）又は無線リソース制御ＲＲＣ（Ｒａｄｉｏ  Ｒｅｓｏｕｒｃｅ  Ｃｏｎｔｒｏｌ）メッセージでＣ−ＲＮＴＩを送信した場合、上記データチャネルフィードバック情報は、Ｃ−ＲＮＴＩを含む。
【００７６】
任意選択で、前記の前記Ｍｓｇ２に対するフィードバックメッセージを前記ネットワーク側機器に送信することは、競合解決が成功したと決定された場合、前記Ｍｓｇ２に対するフィードバックメッセージを前記ネットワーク側機器に送信すること、又は、前記Ｍｓｇ２の受信に成功した場合、前記Ｍｓｇ２に対するフィードバックメッセージを前記ネットワーク側機器に送信することを含む。
【００７７】
一実施形態において、端末機器は、競合解決に成功したと決定した場合、前記Ｍｓｇ２に対するフィードバックメッセージを前記ネットワーク側機器に送信し、それによって、競合解決に成功したことをネットワーク側機器に通知する。
【００７８】
別の実施形態において、端末機器は、前記Ｍｓｇ２の受信に成功した場合、前記Ｍｓｇ２に対するフィードバックメッセージを前記ネットワーク側機器に送信し、それによって、前記Ｍｓｇ２の受信に成功したことをネットワーク側機器に指示する。例えば、端末機器は、Ｍｓｇ２のデータ復号に成功した場合、ネットワーク側機器にフィードバックし、それによって、Ｍｓｇ２再送の停止をネットワーク側機器に通知して、システムリソースを節約することができる。
【００７９】
任意選択で、前記の前記Ｍｓｇ２に対するフィードバックメッセージを前記ネットワーク側機器に送信することは、前記Ｍｓｇ２に対するフィードバックメッセージをＨＡＲＱ方式で前記ネットワーク側機器に送信することを含む。
【００８０】
本開示の実施例において、前記Ｍｓｇ２に対するフィードバックメッセージをＨＡＲＱ方式で前記ネットワーク側機器に送信し、それによって、前記フィードバックメッセージの送信成功率を向上させる。例えば、端末機器がデータチャネル（例えばＰＵＳＣＨ）でフィードバックする場合、該データチャネルのデータは、ＨＡＲＱプロセスで送信される。
【００８１】
なお、ＨＡＲＱの設定情報は、ネットワーク側によって設定される（ＤＣＩで指示されるか、ＲＲＣで設定される）か、プロトコルで予め定義される。ここで、ＨＡＲＱの設定情報は、ＨＡＲＱプロセス識別子及びＨＡＲＱ冗長バージョン識別子の少なくとも一方を含む。
【００８２】
上記ＨＡＲＱプロセス識別子は、ＨＡＲＱプロセスを一意に識別する。具体的には、上記ＨＡＲＱプロセス識別子は、他の上りデータ送信とは独立したＨＡＲＱプロセス識別子であってもよいし、他の上りデータ送信と共有されたＨＡＲＱプロセス識別子であってもよく、この場合、そのＨＡＲＱプロセス識別子をＭｓｇ２内の上りクグラント（ＵＬ  Ｇｒａｎｔ）によって指示する。
【００８３】
上記ＨＡＲＱ冗長バージョン識別子は、ＲＶ０のような、プロトコルで予め定義された冗長バージョン識別子であってもよく、ネットワーク側機器がＭｓｇ２内の上りグラント（ＵＬ  Ｇｒａｎｔ）によって指示するＨＡＲＱ冗長バージョン識別子であってもよい。
【００８４】
任意選択で、前記の前記Ｍｓｇ２に対するフィードバックメッセージを前記ネットワーク側機器に送信することの後に、前記方法は、前記フィードバックメッセージの再送を指示する第１指示情報を前記ネットワーク側機器から受信した場合、前記Ｍｓｇ２に対するフィードバックメッセージを前記ネットワーク側機器に再送することを更に含む。
【００８５】
本開示の実施例において、端末機器は、前記フィードバックメッセージの再送を指示する第１指示情報をネットワーク側機器から受信した場合、前記Ｍｓｇ２に対するフィードバックメッセージを前記ネットワーク側機器に再送する。本発明の実施例において、ネットワーク側機器がフィードバックメッセージの再送を端末機器に指示することによって、フィードバックメッセージ伝送の柔軟性を向上させ、フィードバックメッセージ送信の成功率を向上させながら、システムリソースを節約することができる。
【００８６】
任意選択で、前記フィードバックメッセージがデータチャネルフィードバックメッセージである場合、前記方法は、前記フィードバックメッセージの時刻起動タイマを前記ネットワーク側機器に送信することと、前記タイマがタイムアウトしていない場合、前記フィードバックメッセージの再送が不要であることを指示する第２指示情報を前記ネットワーク側機器から受信すると、前記タイマを停止することと、前記タイマがタイムアウトした場合、前記フィードバックメッセージを前記ネットワーク側機器に再送することとを更に含む。
【００８７】
本開示の実施例において、上記タイマは、上りグラントタイマ（ＵＬ  Ｇｒａｎｔ  Ｔｉｍｅｒ）である。具体的には、タイマをセットしてフィードバックメッセージの再送を制御し、タイマがタイムアウトした場合にネットワーク側機器が上記フィードバックメッセージを受信しなかったと決定すると、前記フィードバックメッセージを前記ネットワーク側機器に再送し、第２指示情報を受信した場合、タイマを停止する。
【００８８】
任意選択で、前記ネットワーク側機器へ前記フィードバックメッセージを再送する最大再送回数は、プロトコルで予め定義されてもよいし、ネットワーク側によって設定されてもよく、例えば、ネットワーク側によって最大再送回数が３であると設定する。
【００８９】
本開示の実施例は、タイマをセットしてフィードバックメッセージの再送を制御することによって、より簡単かつ便利に実現する。
【００９０】
任意選択で、前記フィードバックメッセージがデータチャネルフィードバックメッセージである場合、前記方法は、前記フィードバックメッセージの時刻起動タイマを前記ネットワーク側機器に送信することと、前記タイマがタイムアウトしていない場合、前記フィードバックメッセージの再送を指示する第１指示情報を前記ネットワーク側機器から受信すると、前記タイマを再起動し、前記フィードバックメッセージを前記ネットワーク側機器に再送することと、前記タイマがタイムアウトした場合、前記ネットワーク側機器への前記フィードバックメッセージの再送を停止することとを更に含む。
【００９１】
本開示の実施例において、上記タイマは、上りグラントタイマ（ＵＬ  Ｇｒａｎｔ  Ｔｉｍｅｒ）である。具体的には、タイマがタイムアウトしていない場合、第１指示情報を受信したのであれば、フィードバックメッセージをネットワーク側機器に再送し、前記タイマを再起動するが、タイマがタイムアウトしたのであれば、該フィードバック情報がネットワーク側機器に受信されたと決定する。
【００９２】
本開示の実施例は、タイマをセットしてフィードバックメッセージの再送を制御することによって、より簡単かつ便利に実現する。
【００９３】
任意選択で、本開示の実施例は、端末機器がデータチャネル（例えばＰＵＳＣＨ）でフィードバックする場合、タイマによってフィードバックメッセージの再送を制御する。
【００９４】
本開示の実施例は、ネットワーク側機器に応用されるランダムアクセス方法を更に提供する。図４は、本開示の実施例に係る別のランダムアクセス方法のフローチャートであり、図４に示すように、以下のステップを含む。
【００９５】
ステップ４０１において、端末機器から送信された第１メッセージを受信する。
【００９６】
本開示の実施例において、第１メッセージは、異なるアクセスプロセスの異なるメッセージであり、例えば競合ランダムアクセスプロセスのＭｓｇ１又はＭｓｇ３など、又は２段階ランダムアクセスプロセスのＭｓｇ１などである。
【００９７】
ステップ４０２において、目標設定情報が運ばれた応答メッセージを前記端末機器に送信する。ここで、前記目標設定情報の少なくとも一部の設定情報と、端末機器が前記応答メッセージを受信する前に取得可能なパラメータである関連パラメータとの間に関連関係が存在する。
【００９８】
本開示の実施例において、上記応答メッセージは、第１メッセージに対応する応答メッセージである。例えば、第１メッセージが競合ランダムアクセスプロセスにおけるＭｓｇ１である場合には、応答メッセージは、競合ランダムアクセスプロセスにおけるＭｓｇ２であり、第１メッセージが競合ランダムアクセスプロセスにおけるＭｓｇ３である場合、応答メッセージは、競合ランダムアクセスプロセスにおけるＭｓｇ４であり、第１メッセージが２段階ランダムアクセスプロセスにおけるＭｓｇ１である場合、応答メッセージは、２段階ランダムアクセスプロセスにおけるＭｓｇ２である。
【００９９】
上記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含むが、それらに限られない。
【０１００】
なお、上記目標設定情報は、複数の設定情報を含んでもよい。例えば、上記目標設定情報は、複数のプリアンブル識別子、複数のタイミングアドバンス、複数のＭｓｇ２のフィードバックメッセージ伝送リソースを指示する上りリソース割当情報、複数の端末機器識別子、複数の競合解決識別子、及び複数の無線接続設定情報等の少なくとも一方を含む。
【０１０１】
上記関連パラメータは、端末機器が前記応答メッセージを受信する前に取得可能なパラメータであり、例えばプリアンブル識別子や競合解決識別子などである。これにより、端末機器は、前記関連関係に基づいて、前記目標設定情報のうち、前記端末機器の目標関連パラメータに関連する設定情報を取得することができる。例えば、上りリソース割当情報が競合解決識別子に関連付けられ、端末機器は、ある競合解決識別子について競合解決を判断すると、該競合解決識別子に関連する上りリソース割当情報を、Ｍｓｇ２のフィードバック情報の送信に用いる。
【０１０２】
本開示の実施例に係るランダムアクセス方法において、端末機器から送信された第１メッセージを受信し、目標設定情報が運ばれた応答メッセージを前記端末機器に送信し、ここで、前記目標設定情報の少なくとも一部の設定情報と、端末機器が前記応答メッセージを受信する前に取得可能なパラメータである関連パラメータとの間に関連関係が存在する。それによって、各端末機器は、対応する設定情報を関連パラメータに基づいて取得することができ、ランダムアクセスプロセスで複数の端末機器間の衝突発生確率を減少する。
【０１０３】
任意選択で、前記第１メッセージは、２段階アクセス手順におけるＭｓｇ１であり、前記応答メッセージは、２段階アクセス手順におけるＭｓｇ２である。
【０１０４】
任意選択で、前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【０１０５】
本開示の実施例において、上記プリアンブル識別子（Ｐｒｅａｍｂｌｅ  ＩＤ）は、ランダムアクセスプリアンブル識別子と呼ばれてもよい。上記タイミングアドバンスは、ＴＡ（Ｔｉｍｉｎｇ  Ａｄｖａｎｃｅ）である。
【０１０６】
上記上りリソース割当情報は、上りグラント（ＵＬ  ｇｒａｎｔ）、ＨＡＲＱフィードバックリソース又はＰＵＣＣＨリソースなどの指示情報を含む。
【０１０７】
任意選択で、前記上りリソース割当情報は、データチャネルの上りリソース割当情報及び制御チャネルの上りリソース割当情報の少なくとも一方を含む。
【０１０８】
本開示の実施例において、上記データチャネルの上りリソース割当情報は、ＰＵＳＣＨの上りグラントを含み、上記制御チャネルの上りリソース割当情報は、ＨＡＲＱフィードバックリソース又はＰＵＣＣＨリソースの指示情報を含む。
【０１０９】
任意選択で、Ｍｓｇ２フィードバック情報のためのリソース設定情報がネットワーク側機器によって（例えば前記ステップＳ１００で）予め設定された場合、上記上りリソース割当情報は、Ｍｓｇ２フィードバック情報のためのリソース設定情報の一部又はすべてのリソースの指示情報である。例えば、ＰＵＣＣＨ送信にネットワーク側機器が予めサブフレーム０／２／４／６／８を設定すると、上記上りリソース割当情報は、更にサブフレーム０をＰＵＣＣＨ送信に用いると指示する。
【０１１０】
上記端末機器識別子（ＵＥ識別子）は、Ｃ−ＲＮＴＩである。上記競合解決識別子（ＵＥ  Ｃｏｎｔｅｎｔｉｏｎ  Ｒｅｓｏｌｕｔｉｏｎ  ＩＤ）は、競合解決に用いられる。本開示の実施例は、競合解決識別子をＭｓｇ２に運ぶことで、シグナリングオーバーヘッドを節約することができる。
【０１１１】
上記無線接続設定情報は、無線リソース制御確立メッセージ（ＲＲＣ  Ｓｅｔｕｐメッセージ）である。
【０１１２】
なお、上記目標設定情報は、複数の設定情報を含んでもよい。例えば、上記目標設定情報は、複数のプリアンブル識別子、複数のタイミングアドバンス、複数のＭｓｇ２のフィードバックメッセージ伝送リソースを指示する上りリソース割当情報、複数の端末機器識別子、複数の競合解決識別子、及び複数の無線接続設定情報等の少なくとも一方を含む。
【０１１３】
なお、端末機器がＭｓｇ１でプリアンブル（Ｐｒｅａｍｂｌｅ）識別子を送信してから、初めてＭｓｇ２にプリアンブル識別子を運ぶことができる。
【０１１４】
任意選択で、前記関連パラメータは、プリアンブル識別子及び競合解決識別子の少なくとも一方を含む。
【０１１５】
本開示の実施例において、プリアンブル識別子及び競合解決識別子は、いずれも端末機器が前記応答メッセージを受信する前に取得可能なパラメータである。実際の応用において、Ｍｓｇ２に運ばれるプリアンブル識別子は、通常、端末機器から送信されるＭｓｇ１に運ばれるプリアンブル識別子であり、Ｍｓｇ２に運ばれる競合解決識別子は、Ｍｓｇ１のコードストリームに基づいて得られる競合解決識別子である。よって、端末機器は、前記応答メッセージを受信する前に、プリアンブル識別子及び競合解決識別子を取得することができる。
【０１１６】
以下、目標設定情報の少なくとも一部の設定情報と、関連パラメータとの間に関連関係が存在することについて、例を挙げて説明する。
【０１１７】
１．タイミングアドバンスの関連方式
タイミングアドバンスは、プリアンブル識別子に関連する。
この実施形態において、端末機器は、Ｍｓｇ１で送信したプリアンブル識別子を、Ｍｓｇ２に運ばれるプリアンブル識別子から識別し、Ｍｓｇ１で送信したプリアンブル識別子に関連するタイミングアドバンスを、該プリアンブル識別子に対応するＭｓｇ１のランダムアクセス信号（例えば物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ））から算出されるものと決定し、該タイミングアドバンスを、例えば該Ｍｓｇ１のデータ（例えばＰＵＳＣＨ）の再送、該Ｍｓｇ１に対応するＭｓｇ２のフィードバック情報の送信、端末機器が接続状態に入るためのデータ送信など、該Ｍｓｇ１に対応する後続の信号送信に用いる。
【０１１８】
２．競合解決識別子の関連方式
競合解決識別子は、プリアンブル識別子に関連する。
この実施形態において、端末機器は、Ｍｓｇ１で送信したプリアンブル識別子を、Ｍｓｇ２に運ばれるプリアンブル識別子から識別し、Ｍｓｇ１で送信したプリアンブル識別子に関連する競合解決識別子を、競合解決に用いる。
【０１１９】
任意選択で、同一のプリアンブル識別子は、複数の競合解決識別子に関連付けられてもよい。端末機器は、送信したプリアンブル識別子に関連する全ての競合解決識別子を競合解決に用いる。
【０１２０】
なお、競合解決識別子が任意のプリアンブル識別子に関連付けられていない場合、端末機器は、受信した１つ又は複数の競合解決識別子を全て競合解決に用いる。
【０１２１】
３．上りリソース割当情報の関連方式
上りリソース割当情報は、競合解決識別子に関連する。
この実施形態において、端末機器は、ある競合解決識別子について競合解決を判断すると、該競合解決識別子に関連する上りリソース割当情報を、Ｍｓｇ２のフィードバック情報の送信に用いる。
上りリソース割当情報は、プリアンブル識別子に関連する。
この実施形態において、端末機器は、Ｍｓｇ１で送信したプリアンブル識別子を、Ｍｓｇ２に運ばれるプリアンブル識別子から識別し、Ｍｓｇ１で送信したプリアンブル識別子に関連する上りリソース割当情報を、Ｍｓｇ２のフィードバック情報の送信に用いる。
【０１２２】
４．端末機器識別子の関連方式
端末機器識別子は、競合解決識別子に関連する。
この実施形態において、端末機器は、ある競合解決識別子に対して競合解決を判断すると、該競合解決識別子に関連する端末機器識別子（ＵＥ識別子）を接続状態ＵＥの識別子とする。
端末機器識別情報は、プリアンブル識別しに関連する。
この実施形態において、端末機器は、Ｍｓｇ１で送信したプリアンブル識別子を、Ｍｓｇ２に運ばれるプリアンブル識別子から識別し、Ｍｓｇ１で送信したプリアンブル識別子に関連する端末機器識別子（ＵＥ識別子）を接続状態端末機器の識別子とする。
【０１２３】
５．無線接続設定情報の関連方式
無線接続設定情報は、競合解決識別子に関連する。
この実施形態において、端末機器は、ある競合解決指標について競合解決を判断すると、該競合解決指標に関連する無線接続設定情報を、接続状態の端末機器の無線接続設定情報とする。
無線接続設定情報は、プリアンブル識別子に関連する。
この実施形態において、端末機器は、Ｍｓｇ１で送信したプリアンブル識別子を、Ｍｓｇ２に運ばれるプリアンブル識別子から識別し、Ｍｓｇ１で送信したプリアンブル識別子に関連する無線接続設定情報を接続状態の端末機器の無線接続設定情報とする。
【０１２４】
任意選択で、接続状態の端末機器については、端末機器が受信したＭｓｇ２の端末機器識別子と接続状態の端末機器の識別子とが一致すれば、端末機器は、ランダムアクセスプロセスの競合解決が成功したと見なす。実際の応用において、接続状態の端末機器にはＣ−ＲＮＴＩが割り当てられており、Ｍｓｇ２にＣ−ＲＮＴＩ（例えば、物理下り制御チャネルＰＤＣＣＨ  （Ｐｈｙｓｉｃａｌ  Ｄｏｗｎｌｉｎｋ  Ｃｏｎｔｒｏｌ  Ｃｈａｎｎｅｌ）内のＣ−ＲＮＴＩ）が運ばれる場合、端末機器は、Ｍｓｇ２にＣ−ＲＮＴＩが運ばれたと決定すると、競合解決に成功したと見なす。
【０１２５】
なお、競合解決識別子は、通常、唯一であるため、本開示の実施例において、競合解決識別子と目標設定情報の少なくとも一部の設定情報とを関連付けることによって、更に端末機器間の衝突確率を減少させることができる。
【０１２６】
なお、上記関連方式は、実際のニーズに応じて任意に組み合わせてもよく、本開示の実施例において、これについて限定しない。
【０１２７】
任意選択で、前記の目標設定情報が運ばれた応答メッセージを前記端末機器に送信することは、具体的には、目標設定情報が運ばれたＭｓｇ２をＨＡＲＱ方式で前記端末機器に送信する。
【０１２８】
本開示の実施例において、端末機器は、Ｍｓｇ２を伝送するために、他の下りデータ送信のＨＡＲＱプロセスのうちの１つを共有してもよいし、他の下りデータ送信とは独立したＨＡＲＱプロセスを用いてもよい。
【０１２９】
任意選択で、他の下りデータ送信のＨＡＲＱプロセスとは独立したＨＡＲＱプロセスを用いてＭｓｇ２を送信する場合、ＨＡＲＱプロセス識別子を必要としなくてもよい。共有ＨＡＲＱプロセスを用いてＭｓｇ２を送信する場合、例えばＨＡＲＱ  ｐｒｏｃｅｓｓ  ＩＤ０などのプロトコルで予め定義されたＨＡＲＱプロセス識別子（ＨＡＲＱ  Ｐｒｏｃｅｓｓ  ＩＤ）を用いてもよく、又はＰＤＣＣＨ内の下り制御情報ＤＣＩ（Ｄｏｗｎｌｉｎｋ  Ｃｏｎｔｒｏｌ  Ｉｎｆｏｒｍａｔｉｏｎ）によってＨＡＲＱプロセス識別子を指示してもよい。
【０１３０】
本開示の実施例は、目標設定情報が運ばれたＭｓｇ２をＨＡＲＱ方式で前記端末機に送信することによって、Ｍｓｇ２送信の成功率を向上させることができる。
【０１３１】
任意選択で、前記の目標設定情報が運ばれた応答メッセージを前記端末機器に送信することの後に、前記方法は、前記端末機器から送信された前記Ｍｓｇ２に対するフィードバックメッセージを受信することを更に含む。
【０１３２】
本開示の実施例において、前記Ｍｓｇ２に対するフィードバックメッセージは、端末機器がＭｓｇ２を受信した後に送信したフィードバックメッセージを指す。
【０１３３】
任意選択で、前記フィードバックメッセージは、制御チャネルフィードバック情報及びデータチャネルフィードバックメッセージの少なくとも一方を含む。
【０１３４】
本開示の実施例において、制御チャネルでフィードバックするようにネットワーク側機器が設定した場合、ＨＡＲＱ  ＡＣＫ情報などの制御チャネルフィードバック情報は、端末機器からフィードバックされるが、データチャネルでフィードバックするようにネットワーク側機器が設定した場合、ＰＵＳＣＨに運ばれる制御情報などのデータチャネルフィードバック情報は、端末機器からフィードバックされる。任意選択で、端末機器のフィードバックメッセージは、プロトコルで予め定義されてもよい。
【０１３５】
任意選択で、前記データチャネルフィードバックメッセージは、物理上り共有チャネルＰＵＳＣＨの端末機器識別子及びセル無線ネットワーク一時識別子Ｃ−ＲＮＴＩの少なくとも一方を含む。
【０１３６】
本開示の実施例において、ＰＵＳＣＨの端末機器識別子は、ＰＵＳＣＨのＣ−ＲＮＴＩスクランブルコードである。
【０１３７】
なお、ＭＡＣ  ＣＥ又はＲＲＣメッセージでＣ−ＲＮＴＩを送信した場合、上記データチャネルフィードバック情報は、Ｃ−ＲＮＴＩを含む。
【０１３８】
任意選択で、端末機器がデータチャネル（例えばＰＵＳＣＨ）でフィードバックする場合、該データチャネルのデータは、ＨＡＲＱプロセスで送信される。ここで、ＨＡＲＱの設定情報は、ネットワーク側によって設定される（ＤＣＩで指示されるか、ＲＲＣで設定される）か、プロトコルで予め定義される。
【０１３９】
具体的には、上記ＨＡＲＱの設定情報は、ＨＡＲＱプロセス識別子及びＨＡＲＱ冗長バージョン識別子の少なくとも一方を含む。
【０１４０】
上記ＨＡＲＱプロセス識別子は、ＨＡＲＱプロセスを一意に識別する。具体的には、上記ＨＡＲＱプロセス識別子は、他の上りデータ送信とは独立したＨＡＲＱプロセス識別子であってもよいし、他の上りデータ送信と共有されたＨＡＲＱプロセス識別子であってもよく、この場合、そのＨＡＲＱプロセス識別子をＭｓｇ２内の上りクグラント（ＵＬ  Ｇｒａｎｔ）によって指示する。
【０１４１】
上記ＨＡＲＱ冗長バージョン識別子は、ＲＶ０のような、プロトコルで予め定義された冗長バージョン識別子であってもよく、ネットワーク側機器がＭｓｇ２内の上りグラント（ＵＬ  Ｇｒａｎｔ）によって指示するＨＡＲＱ冗長バージョン識別子であってもよい。
【０１４２】
任意選択で、前記方法は、前記端末機器から送信されたＭｓｇ２に対するフィードバックメッセージを受信しなかった場合、又は前記フィードバックメッセージが再送を指示する場合、前記Ｍｓｇ２を前記端末機器に再送することを更に含む。
【０１４３】
一実施形態において、Ｍｓｇ２に対するフィードバックメッセージを前記端末機器から受信しなかった場合、端末機器がＭｓｇ２を受信する時間範囲（例えばランダムアクセス応答受信時間窓）内で前記Ｍｓｇ２を端末機器に再送する。
【０１４４】
別の実施形態において、端末機器から送信されたＭｓｇ２に対するフィードバックメッセージが再送を指示する場合、前記Ｍｓｇ２を前記端末機器に再送する。例えば、端末機器は、Ｍｓｇ２のデータの復号に成功できなかった場合、フィードバックメッセージを送信して、Ｍｓｇ２の再送をネットワーク側機器に指示する。
【０１４５】
本開示の実施例において、前記端末機器から送信されたＭｓｇ２に対するフィードバックメッセージを受信しなかった場合、又は前記フィードバックメッセージが再送を指示する場合、前記Ｍｓｇ２を前記端末機器に再送することによって、Ｍｓｇ２の送信成功率を向上させることができる。
【０１４６】
任意選択で、前記の前記端末機器から送信されたＭｓｇ２に対するフィードバックメッセージを受信することの後に、前記方法は、前記フィードバックメッセージを再送するか否かを前記端末機器に指示する指示情報を、前記端末機器に送信することを更に含む。
【０１４７】
本開示の実施例において、ネットワーク側機器は、端末機器から送信されたＭｓｇ２に対するフィードバックメッセージを受信した後に、前記フィードバックメッセージを再送するか否かを前記端末機器に指示する指示情報を前記端末機器に送信する。
【０１４８】
例えば、端末機器がデータチャネル（例えばＰＵＳＣＨ）でフィードバックする（即ち、フィードバックメッセージを送信する）場合、ネットワーク側機器は、該データチャネルで送信されたデータの再送の要否を指示する指示メッセージを端末機器に送信する。ここで、上記指示情報は、端末機器識別子（例えばＣ−ＲＮＴＩ）を含む。例えば、Ｃ−ＲＮＴＩによって識別されるＰＤＣＣＨは、該データチャネルで送信されたデータの再送が必要であるか否かを指示する（例えば、ＰＤＣＣＨによって、特定のＨＡＲＱプロセスの再送を指示する）。
【０１４９】
本開示の実施例において、前記フィードバックメッセージを再送するか否かを前記端末機器に指示する指示情報を端末機器に送信することによって、フィードバックメッセージ送信の成功率を向上させつつ、システムリソースを節約することができる。
【０１５０】
以下、例を参照しながら本開示の実施例に係るランダムアクセス方法を説明する。
【０１５１】
図５を参照すると、本開示の実施例に係るランダムアクセス方法は、以下のステップを含む。
【０１５２】
ステップＳ２００において、ネットワーク側機器は、端末機器に対して２段階ランダムアクセスの設定情報を設定する。
【０１５３】
上記設定情報は、Ｍｓｇ１の送信リソース情報とＭｓｇ２の受信リソース情報を含む。任意選択で、上記設定情報は、Ｍｓｇ２フィードバック情報のリソース設定情報を更に含む。
【０１５４】
ステップＳ２０１において、端末機器は、Ｍｓｇ１をネットワーク側機器に送信する。
【０１５５】
本ステップにおいて、端末機器は、２段階ランダムアクセス（２−Ｓｔｅｐ  ＲＡＣＨ）プロセスをトリガした後、データ部分が運ばれたＭｓｇ１のみをネットワーク側機器に送信してもよいし、データ部分と制御部分が運ばれたＭｓｇ１をネットワーク側機器に送信してもよい。
【０１５６】
ステップＳ２０２において、ネットワーク側機器は、Ｍｓｇ２を端末機器に送信する。
【０１５７】
本ステップにおいて、Ｍｓｇ２は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【０１５８】
ステップＳ２０３において、端末機器は、Ｍｓｇ２フィードバックメッセージをネットワーク側機器に送信する。
【０１５９】
本ステップにおいて、上記Ｍｓｇ２フィードバックメッセージは、即ちＭｓｇ２に対するフィードバックメッセージである。
【０１６０】
一実施形態において、端末機器は、競合解決に成功したと決定した場合、前記Ｍｓｇ２に対するフィードバックメッセージを前記ネットワーク側機器に送信し、それによって、競合解決に成功したことをネットワーク側機器に通知する。
【０１６１】
別の実施形態において、端末機器は、前記Ｍｓｇ２の受信に成功した場合、前記Ｍｓｇ２に対するフィードバックメッセージを前記ネットワーク側機器に送信し、それによって、前記Ｍｓｇ２の受信に成功したことをネットワーク側機器に指示する。例えば、端末機器は、Ｍｓｇ２のデータ復号に成功した場合、ネットワーク側機器にフィードバックし、それによって、Ｍｓｇ２再送の停止をネットワーク側機器に通知して、システムリソースを節約することができる。
【０１６２】
ステップＳ２０４において、ネットワーク側機器は、Ｍｓｇ２フィードバックメッセージに対する指示メッセージを端末機器に送信する。
【０１６３】
本開示の実施例において、ネットワーク側機器は、Ｍｓｇ２に対するフィードバックメッセージを端末機器から受信すると、前記フィードバックメッセージを再送するか否かを前記端末機器に指示する指示情報を、前記端末機器に送信する。
【０１６４】
例えば、端末機器がデータチャネル（例えばＰＵＳＣＨ）でフィードバックする（即ち、フィードバックメッセージを送信する）場合、ネットワーク側機器は、該データチャネルで送信されたデータの再送の要否を指示する指示メッセージを端末機器に送信する。ここで、上記指示情報は、端末機器識別子（例えばＣ−ＲＮＴＩ）を含む。
【０１６５】
本開示の実施例に係るランダムアクセス方法は、２段階ランダムアクセス（即ち、２−Ｓｔｅｐ  ＲＡＣＨ）プロセスで、端末機器がＭｓｇ２の受信に成功したか否かをネットワーク側機器にフィードバックすることを実現することができ、Ｍｓｇ２の受信が成功したか否かについての端末機器とネットワーク側機器の理解を一致させ、ネットワーク側によるその後のデータ送受信のスケジューリングを支援することができる。
【０１６６】
図６は、本開示の実施例に係る端末機器の構造図である。図６に示すように、端末機器６００は、第１送信モジュール６０１と、第１受信モジュール６０２と、取得モジュール６０３を含む。ここで、第１送信モジュール６０１は、第１メッセージをネットワーク側機器に送信する。第１受信モジュール６０２は、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在する。取得モジュール６０３は、前記目標設定情報のうち、前記端末機器の目標関連パラメータに関連する設定情報を、前記関連関係に基づいて取得する。
【０１６７】
任意選択で、前記第１メッセージは、２段階アクセス手順におけるＭｓｇ１であり、前記応答メッセージは、２段階アクセス手順におけるＭｓｇ２である。
【０１６８】
任意選択で、前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【０１６９】
任意選択で、前記関連パラメータは、プリアンブル識別子及び競合解決識別子の少なくとも一方を含む。
【０１７０】
任意選択で、前記上りリソース割当情報は、データチャネルの上りリソース割当情報及び制御チャネルの上りリソース割当情報の少なくとも一方を含む。
【０１７１】
任意選択で、前記端末機器は、前記の目標設定情報が運ばれたＭｓｇ２を前記ネットワーク側機器から受信することの後に、前記Ｍｓｇ２に対するフィードバックメッセージを前記ネットワーク側機器に送信する第２送信モジュールを更に含む。
【０１７２】
任意選択で、前記フィードバックメッセージは、制御チャネルフィードバック情報及びデータチャネルフィードバックメッセージの少なくとも一方を含む。
【０１７３】
任意選択で、前記データチャネルフィードバックメッセージは、物理上り共有チャネルＰＵＳＣＨの端末機器識別子及びセル無線ネットワーク一時識別子Ｃ−ＲＮＴＩの少なくとも一方を含む。
【０１７４】
任意選択で、前記第２送信モジュールは、具体的には、競合解決が成功したと決定された場合、前記Ｍｓｇ２に対するフィードバックメッセージを前記ネットワーク側機器に送信し、又は、前記Ｍｓｇ２の受信に成功した場合、前記Ｍｓｇ２に対するフィードバックメッセージを前記ネットワーク側機器に送信する。
【０１７５】
任意選択で、前記第２送信モジュールは、具体的には、前記Ｍｓｇ２に対するフィードバックメッセージをＨＡＲＱ方式で前記ネットワーク側機器に送信する。
【０１７６】
任意選択で、前記端末機器は、前記の前記Ｍｓｇ２に対するフィードバックメッセージを前記ネットワーク側機器に送信することの後に、前記フィードバックメッセージの再送を指示する第１指示情報を前記ネットワーク側機器から受信した場合、前記Ｍｓｇ２に対するフィードバックメッセージを前記ネットワーク側機器に再送する第３送信モジュールを更に含む。
【０１７７】
任意選択で、前記端末機器は、前記フィードバックメッセージがデータチャネルフィードバックメッセージである場合、前記フィードバックメッセージの時刻起動タイマを前記ネットワーク側機器に送信する第１起動モジュールと、前記タイマがタイムアウトしていない場合、前記フィードバックメッセージの再送が不要であることを指示する第２指示情報を前記ネットワーク側機器から受信すると、前記タイマを停止する第１停止モジュールと、前記タイマがタイムアウトした場合、前記フィードバックメッセージを前記ネットワーク側機器に再送する第４送信モジュールとを更に含む。
【０１７８】
任意選択で、前記端末機器は、前記フィードバックメッセージがデータチャネルフィードバックメッセージである場合、前記フィードバックメッセージの時刻起動タイマを前記ネットワーク側機器に送信する第２起動モジュールと、前記タイマがタイムアウトしていない場合、前記フィードバックメッセージの再送を指示する第１指示情報を前記ネットワーク側機器から受信すると、前記タイマを再起動し、前記フィードバックメッセージを前記ネットワーク側機器に再送する再起動モジュールと、前記タイマがタイムアウトした場合、前記ネットワーク側機器への前記フィードバックメッセージの再送を停止する第２停止モジュールとを更に含む。
【０１７９】
本開示の実施例に係る端末機器６００は、図３と図５の方法実施例で端末機器が実現した各プロセスを実現することができ、重複を避けるために、ここでは繰り返して述べない。
【０１８０】
本開示の実施例に係る端末機器６００は、第１送信モジュール６０１が第１メッセージをネットワーク側機器に送信し、第１受信モジュール６０２が、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、取得モジュール６０３が、前記目標設定情報のうち、前記端末機器の目標関連パラメータに関連する設定情報を、前記関連関係に基づいて取得することによって、ランダムアクセスプロセスで複数の端末機器間の衝突発生確率を減少することができる。
【０１８１】
図７は、本開示の実施例に係るネットワーク側機器の構造図である。図７に示すように、ネットワーク側機器７００は、端末機器から送信された第１メッセージを受信する第１受信モジュール７０１と、目標設定情報が運ばれた応答メッセージを前記端末機器に送信する第１送信モジュール７０２とを含み、ここで、前記目標設定情報の少なくとも一部の設定情報と、端末機器が前記応答メッセージを受信する前に取得可能なパラメータである関連パラメータとの間に関連関係が存在する。
【０１８２】
任意選択で、前記第１メッセージは、２段階アクセス手順におけるＭｓｇ１であり、前記応答メッセージは、２段階アクセス手順におけるＭｓｇ２である。
【０１８３】
任意選択で、前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【０１８４】
任意選択で、前記関連パラメータは、プリアンブル識別子及び競合解決識別子の少なくとも一方を含む。
【０１８５】
任意選択で、前記上りリソース割当情報は、データチャネルの上りリソース割当情報及び制御チャネルの上りリソース割当情報の少なくとも一方を含む。
【０１８６】
任意選択で、前記第１送信モジュールは、具体的には、目標設定情報が運ばれたＭｓｇ２をＨＡＲＱ方式で前記端末機器に送信する。
【０１８７】
任意選択で、前記ネットワーク側機器は、前記の目標設定情報が運ばれた応答メッセージを前記端末機器に送信することの後に、前記端末機器から送信された前記Ｍｓｇ２に対するフィードバックメッセージを受信する第２受信モジュールを更に含む。
【０１８８】
任意選択で、前記ネットワーク側機器は、前記端末機器から送信されたＭｓｇ２に対するフィードバックメッセージを受信しなかった場合、又は前記フィードバックメッセージが再送を指示する場合、前記Ｍｓｇ２を前記端末機器に再送する第２送信モジュールを更に含む。
【０１８９】
任意選択で、前記フィードバックメッセージは、制御チャネルフィードバック情報及びデータチャネルフィードバックメッセージの少なくとも一方を含む。
【０１９０】
任意選択で、前記データチャネルフィードバックメッセージは、物理上り共有チャネルＰＵＳＣＨの端末機器識別子及びセル無線ネットワーク一時識別子Ｃ−ＲＮＴＩの少なくとも一方を含む。
【０１９１】
任意選択で、前記ネットワーク側機器は、前記の前記端末機器から送信されたＭｓｇ２に対するフィードバックメッセージを受信することの後に、前記フィードバックメッセージを再送するか否かを前記端末機器に指示する指示情報を、前記端末機器に送信する第３送信モジュールを更に含む。
【０１９２】
本開示の実施例に係るネットワーク側機器７００は、図４と図５の方法実施例でネットワーク側機器が実現した各プロセスを実現することができ、重複を避けるために、ここでは繰り返して述べない。
【０１９３】
本開示の実施例に係るネットワーク側機器７００は、第１受信モジュール７０１が端末機器から送信された第１メッセージを受信し、第１送信モジュール７０２が、目標設定情報が運ばれた応答メッセージを前記端末機器に送信し、ここで、前記目標設定情報の少なくとも一部の設定情報と、端末機器が前記応答メッセージを受信する前に取得可能なパラメータである関連パラメータとの間に関連関係が存在する。よって、各端末機器は、対応する設定情報を関連パラメータに基づいて取得することができ、ランダムアクセスプロセスで複数の端末機器間の衝突発生確率が減少する。
【０１９４】
図８は、本開示の実施例に係る別の端末機器の構造図である。図８に示すように、該端末機器８００は、ラジオ周波数ユニット８０１と、ネットワークモジュール８０２と、音声出力ユニット８０３と、入力ユニット８０４と、センサ８０５と、表示ユニット８０６と、ユーザ入力ユニット８０７と、インターフェイスユニット８０８と、メモリ８０９と、プロセッサ８１０と、電源８１１などの構成要素を含むが、これらに限定されない。図８に示される端末機器の構造は、端末を限定するものではなく、端末機器は、図示されるよりも多い又は少ない構成要素、又は特定の構成要素の組み合わせ、又は異なる構成要素の構成を含むことができることを、当業者は理解可能である。本開示の実施例において、端末機器は、携帯電話、タブレットパソコン、ノートパソコン、パームトップパソコン、車載端末、ウェアラブルデバイス及び歩数計などを含むが、それらに限定されない。
【０１９５】
ここで、ラジオ周波数ユニット８０１は、第１メッセージをネットワーク側機器に送信し、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在する。プロセッサ８１０は、前記目標設定情報のうち、前記端末機器の目標関連パラメータに関連する設定情報を、前記関連関係に基づいて取得する。
【０１９６】
本開示の実施例において、各端末機器は、対応する設定情報を関連パラメータに基づいて取得することができ、ランダムアクセスプロセスで複数の端末機器間の衝突発生確率が減少する。
【０１９７】
任意選択で、前記第１メッセージは、２段階アクセス手順におけるＭｓｇ１であり、前記応答メッセージは、２段階アクセス手順におけるＭｓｇ２である。
【０１９８】
任意選択で、前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【０１９９】
任意選択で、前記関連パラメータは、プリアンブル識別子及び競合解決識別子の少なくとも一方を含む。
【０２００】
任意選択で、前記上りリソース割当情報は、データチャネルの上りリソース割当情報及び制御チャネルの上りリソース割当情報の少なくとも一方を含む。
【０２０１】
任意選択で、前記プロセッサ８１０は、更に、前記の目標設定情報が運ばれたＭｓｇ２を前記ネットワーク側機器から受信することの後に、前記Ｍｓｇ２に対するフィードバックメッセージを前記ネットワーク側機器に送信する。
【０２０２】
任意選択で、前記フィードバックメッセージは、制御チャネルフィードバック情報及びデータチャネルフィードバックメッセージの少なくとも一方を含む。
【０２０３】
任意選択で、前記データチャネルフィードバックメッセージは、物理上り共有チャネルＰＵＳＣＨの端末機器識別子及びセル無線ネットワーク一時識別子Ｃ−ＲＮＴＩの少なくとも一方を含む。
【０２０４】
任意選択で、前記プロセッサ８１０は、更に、競合解決が成功したと決定された場合、前記Ｍｓｇ２に対するフィードバックメッセージを前記ネットワーク側機器に送信し、又は、前記Ｍｓｇ２の受信に成功した場合、前記Ｍｓｇ２に対するフィードバックメッセージを前記ネットワーク側機器に送信する。
【０２０５】
任意選択で、前記プロセッサ８１０は、更に、前記Ｍｓｇ２に対するフィードバックメッセージをＨＡＲＱ方式で前記ネットワーク側機器に送信する。
【０２０６】
任意選択で、前記プロセッサ８１０は、更に、前記の前記Ｍｓｇ２に対するフィードバックメッセージを前記ネットワーク側機器に送信することの後に、前記フィードバックメッセージの再送を指示する第１指示情報を前記ネットワーク側機器から受信した場合、前記Ｍｓｇ２に対するフィードバックメッセージを前記ネットワーク側機器に再送する。
【０２０７】
任意選択で、前記プロセッサ８１０は、更に、前記フィードバックメッセージがデータチャネルフィードバックメッセージである場合、前記フィードバックメッセージの時刻起動タイマを前記ネットワーク側機器に送信し、前記タイマがタイムアウトしていない場合、前記フィードバックメッセージの再送が不要であることを指示する第２指示情報を前記ネットワーク側機器から受信すると、前記タイマを停止し、前記タイマがタイムアウトした場合、前記フィードバックメッセージを前記ネットワーク側機器に再送する。
【０２０８】
任意選択で、前記プロセッサ８１０は、更に前記フィードバックメッセージがデータチャネルフィードバックメッセージである場合、前記フィードバックメッセージの時刻起動タイマを前記ネットワーク側機器に送信し、前記タイマがタイムアウトしていない場合、前記フィードバックメッセージの再送を指示する第１指示情報を前記ネットワーク側機器から受信すると、前記タイマを再起動し、前記フィードバックメッセージを前記ネットワーク側機器に再送し、前記タイマがタイムアウトした場合、前記ネットワーク側機器への前記フィードバックメッセージの再送を停止する。
【０２０９】
なお、本開示の実施例において、ラジオ周波数ユニット８０１は、情報の送受信又は通話中で信号の送受信に用いられ、具体的に、基地局から下りデータを受信した後、プロセッサ８１０による処理に供し、また、上りデータを基地局に送信する。一般に、ラジオ周波数ユニット８０１は、アンテナ、少なくとも１つの増幅器、トランシーバ、結合器、低雑音増幅器、デュプレクサなどを含むが、それらに限定されない。また、ラジオ周波数ユニット８０１は、無線通信システムを介してネットワークや他の機器と通信を行うこともできる。
【０２１０】
端末機器は、ネットワークモジュール８０２を介して、電子メールの送受信、ウェブページの閲覧、ストリーミングメディアへのアクセスを支援するなど、無線ブロードバンドインターネットアクセスをユーザに提供する。
【０２１１】
音声出力ユニット８０３は、ラジオ周波数ユニット８０１やネットワークモジュール８０２が受信した音声データや、メモリ８０９に記憶された音声データを音声信号に変換して音声として出力することができる。また、音声出力ユニット８０３は、端末機器８００が実行する特定の機能に関する音声（例えば、呼出信号着信音、メッセージ着信音等）を出力してもよい。音声出力ユニット８０３は、スピーカ、ブザー及びレシーバなどを含む。
【０２１２】
入力ユニット８０４は、音声や映像の信号を受信することに用いられる。入力ユニット８０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）８０４１と、マイク８０４２とを含む。処理された画像フレームは、表示ユニット８０６上に表示される。グラフィックスプロセッサ８０４１で処理された画像フレームは、メモリ８０９（又は他の記憶媒体）に記憶されるか、又はラジオ周波数ユニット８０１又はネットワークモジュール８０２を介して送信される。マイク８０４２は、音声を受信し、音声データに加工することができる。処理された音声データは、電話通話モードの場合、ラジオ周波数ユニット８０１を介して移動体通信基地局に送信可能な形式に変換して出力することができる。
【０２１３】
端末機器８００は、光センサ、モーションセンサ及び他のセンサのような少なくとも１つのセンサ８０５を更に含む。具体的には、光センサは、周辺光センサ及び近接センサを含む。周辺光センサは、周辺光の明暗に応じて表示パネル８０６１の輝度を調節し、近接センサは、端末機器８００が耳に移動したときに表示パネル８０６１及び／又はバックライトを消灯する。モーションセンサの１種として、加速度計センサは、様々な方向（一般的には３軸）の加速度の大きさを検出でき、静止時は重力の大きさ及び方向を検出でき、端末機器姿勢の識別（例えば、縦横画面切替、関連ゲーム、磁力計姿勢キャリブレーション）、振動識別関連機能（例えば、歩数計、ストローク）などに用いることができる。センサ８０５は、指紋センサ、圧力センサ、虹彩センサ、分子センサ、ジャイロスコープ、気圧計、湿度計、温度計、赤外線センサなどを更に含むことができるが、ここでは枚挙しない。
【０２１４】
表示ユニット８０６は、ユーザが入力した情報やユーザに提供した情報を表示するために用いられる。表示ユニット８０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル８０６１を含んでもよい。
【０２１５】
ユーザ入力ユニット８０７は、数字や文字情報の入力を受け付け、ユーザによる端末機器の構成や機能制御に関するキー信号の入力を行うことに用いられる。具体的に、ユーザ入力ユニット８０７は、タッチパネル８０７１と、その他の入力機器８０７２とを含む。タッチパネル８０７１は、タッチスクリーンとも呼ばれ、その上又は付近でのユーザのタッチ操作を取得可能である（例えばユーザが指やスタイラスなどの任意の適切な物体や付属部材を用いたタッチパネル８０７１の上又はタッチパネル８０７１の付近での操作）。タッチパネル８０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ８１０に送り、プロセッサ８１０からの命令を受信して実行する。なお、タッチパネル８０７１は、抵抗膜式、静電容量式、赤外線、表面弾性波など、種々の方式を用いて実現することができる。ユーザ入力ユニット８０７は、タッチパネル８０７１の他に、他の入力機器８０７２を含んでもよい。具体的に、他の入力機器８０７２は、物理的なキーボード、機能キー（例えば、音量調節キー、スイッチキーなど）、トラックボール、マウス、レバーを含むが、ここでは枚挙しない。
【０２１６】
更に、タッチパネル８０７１は、表示パネル８０６１に重ねられる。タッチパネル８０７１は、その上又はその近くでタッチ操作を検出すると、プロセッサ８１０に送信して、タッチイベントのタイプを決定する。次いで、プロセッサ８１０は、タッチイベントのタイプに応じて、対応する視覚的出力を表示パネル８０６１に提供する。図８では、タッチパネル８０７１と表示パネル８０６１は、独立した２つの部品として端末の入出力機能を実現するが、実施例によっては、タッチパネル８０７１と表示パネル８０６１を一体化して端末機器８００の入出力機能を実現することもでき、具体的にここでは限定しない。
【０２１７】
インターフェイスユニット８０８は、外部装置と端末機器８００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット８０８は、外部装置から入力（例えば、データ情報、電力など）を受信し、受信した入力を端末機器８００内の１つ以上の要素に伝送するために使用されてもよく、又は端末機器８００と外部装置との間でデータを伝送するために使用されてもよい。
【０２１８】
メモリ８０９は、ソフトウェアプログラム及び様々なデータを格納するために使用される。メモリ８０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ８０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０２１９】
プロセッサ８１０は、端末機器の制御センタであり、各種インタフェースや回線を用いて端末機器全体の各部を接続し、メモリ８０９に格納されたソフトウェアプログラム及び／又はモジュールを実行、メモリ８０９に格納されたデータを呼び出して端末機器の各種機能及び処理データを実行し、端末機器全体の監視を行う。プロセッサ８１０は、１つ以上の処理ユニットを含んでもよい。任意選択で、プロセッサ８１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ８１０に統合されなくてもよいことが理解される。
【０２２０】
端末機器８００は、各構成要素に電力を供給するためのバッテリのような電源８１１を更に含んでもよい。選択可能に、電源８１１は、電源管理システムを介してプロセッサ８１０に論理的に接続されてもよく、電源管理システムを介して充電、放電、及び消費電力管理などを管理する機能を実現してもよい。
【０２２１】
また、端末機器８００は、図示しない機能モジュールを更に含んでもよく、ここでの説明は省略する。
【０２２２】
任意選択で、本開示の実施例は、プロセッサ８１０と、メモリ８０９と、メモリ８０９に格納されて前記プロセッサ８１０で動作可能なコンピュータプログラムを含む端末機器を更に提供し、該コンピュータプログラムがプロセッサ８１０によって実行されると、上記ランダムアクセス方法の実施例の各プロセスが実現され、且つ同じ技術効果を奏することもできるので、重複を避けるために、ここでは繰り返して記載しない。
【０２２３】
本開示の実施例は、コンピュータプログラムが格納されているコンピュータ読み取り可能な記憶媒体を更に提供し、該コンピュータプログラムがプロセッサによって実行されると、上記ランダムアクセス方法の実施例の各プロセスが実現され、且つ同じ技術効果を奏することもできるので、重複を避けるために、ここでは繰り返して記載しない。ここで、コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０２２４】
図９は、本開示の実施例に係る別のネットワーク側機器の構造図である。該ネットワーク側機器は、ソースノード又は目標ノードである。図９に示すように、ネットワーク側機器９００は、プロセッサ９０１と、メモリ９０２と、バスインタフェース９０３と、トランシーバ９０４を含む。ここで、プロセッサ９０１、メモリ９０２及びトランシーバ９０４は、いずれもバスインタフェース９０３に接続される。
【０２２５】
ここで、本開示の実施例において、ネットワーク側機器９００は、メモリ９０２に格納されてプロセッサ９０１で実行可能なコンピュータプログラムを更に含む。コンピュータプログラムがプロセッサ９０１によって実行されると、端末機器から送信された第１メッセージを受信するステップと、目標設定情報が運ばれた応答メッセージを前記端末機器に送信するステップとが実現され、ここで、前記目標設定情報の少なくとも一部の設定情報と、端末機器が前記応答メッセージを受信する前に取得可能なパラメータである関連パラメータとの間に関連関係が存在する。
【０２２６】
任意選択で、前記第１メッセージは、２段階アクセス手順におけるＭｓｇ１であり、前記応答メッセージは、２段階アクセス手順におけるＭｓｇ２である。
【０２２７】
任意選択で、前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む。
【０２２８】
任意選択で、前記関連パラメータは、プリアンブル識別子及び競合解決識別子の少なくとも一方を含む。
【０２２９】
任意選択で、前記上りリソース割当情報は、データチャネルの上りリソース割当情報及び制御チャネルの上りリソース割当情報の少なくとも一方を含む。
【０２３０】
任意選択で、コンピュータプログラムがプロセッサ９０１によって実行されると、目標設定情報が運ばれたＭｓｇ２をＨＡＲＱ方式で前記端末機器に送信することに用いられる。
【０２３１】
任意選択で、前記の目標設定情報が運ばれた応答メッセージを前記端末機器に送信することの後に、前記方法は、前記端末機器から送信された前記Ｍｓｇ２に対するフィードバックメッセージを受信することを更に含む。
【０２３２】
任意選択で、コンピュータプログラムがプロセッサ９０１によって実行されると、更に、前記端末機器から送信されたＭｓｇ２に対するフィードバックメッセージを受信しなかった場合、又は前記フィードバックメッセージが再送を指示する場合、前記Ｍｓｇ２を前記端末機器に再送することに用いられる。
【０２３３】
任意選択で、前記フィードバックメッセージは、制御チャネルフィードバック情報及びデータチャネルフィードバックメッセージの少なくとも一方を含む。
【０２３４】
任意選択で、前記データチャネルフィードバックメッセージは、物理上り共有チャネルＰＵＳＣＨの端末機器識別子及びセル無線ネットワーク一時識別子Ｃ−ＲＮＴＩの少なくとも一方を含む。
【０２３５】
任意選択で、コンピュータプログラムがプロセッサ９０１によって実行されると、更に、前記の前記端末機器から送信されたＭｓｇ２に対するフィードバックメッセージを受信することの後に、前記フィードバックメッセージを再送するか否かを前記端末機器に指示する指示情報を、前記端末機器に送信することに用いられる。
【０２３６】
本開示の実施例において、各端末機器は、対応する設定情報を関連パラメータに基づいて取得することができ、ランダムアクセスプロセスで複数の端末機器間の衝突発生確率が減少する
【０２３７】
任意選択で、本開示の実施例は、プロセッサ９０１と、メモリ９０２と、メモリ９０２に格納されて前記プロセッサ９０１で動作可能なコンピュータプログラムを含むネットワーク側機器を更に提供し、該コンピュータプログラムがプロセッサ９０１によって実行されると、上記ランダムアクセス方法の実施例の各プロセスが実現され、且つ同じ技術効果を奏することもできるので、重複を避けるために、ここでは繰り返して記載しない。
【０２３８】
本開示の実施例は、コンピュータプログラムが格納されているコンピュータ読み取り可能な記憶媒体を更に提供し、該コンピュータプログラムがプロセッサによって実行されると、上記ランダムアクセス方法の実施例の各プロセスが実現され、且つ同じ技術効果を奏することもできるので、重複を避けるために、ここでは繰り返して記載しない。ここで、コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０２３９】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０２４０】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０２４１】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021531702.tif 000003
【図２】
2021531702.tif 000004
【図３】
2021531702.tif 000005
【図４】
2021531702.tif 000006
【図５】
2021531702.tif 000007
【図６】
2021531702.tif 000008
【図７】
2021531702.tif 000009
【図８】
2021531702.tif 000010
【図９】
2021531702.tif 000011
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
端末機器に応用されるランダムアクセス方法であって、
第１メッセージをネットワーク側機器に送信し、
目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、
前記目標設定情報のうち、前記端末機器の目標関連パラメータに関連する設定情報を、前記関連関係に基づいて取得する、ランダムアクセス方法。
【請求項２】
前記第１メッセージは、２段階アクセス手順におけるＭｓｇ１であり、前記応答メッセージは、２段階アクセス手順におけるＭｓｇ２であり、
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項１に記載の方法。
【請求項３】
前記端末機器は、Ｍｓｇ２に運ばれるプリアンブル識別子が、Ｍｓｇ１で送信したプリアンブル識別子であると判断し、
前記端末機器の動作は、
該プリアンブル識別子に関連する競合解決識別子を競合解決に用いること、又は、該プリアンブル識別子に関連する上りリソース割当情報をＭｓｇ２のフィードバック情報の送信に用いること、又は、該プリアンブル識別子に関連する端末機器識別子を端末機器の識別子とすること、又は、該プリアンブル識別子に関連する無線接続設定情報を端末機器の無線接続設定情報とすることの少なくとも一方を含む、請求項２に記載の方法。
【請求項４】
前記端末機器が競合解決識別子に基づいて競合解決を判断した後、端末機器の動作は、
該競合解決識別子に関連する上りリソース割当情報をＭｓｇ２のフィードバック情報の送信に用いること、又は、該競合解決識別子に関連する端末機器識別子を接続状態ＵＥの識別子とすること、又は、該競合解決識別子に関連する無線接続設定情報を端末機器の無線接続設定情報とすることの少なくとも一方を含む、請求項２又は３に記載の方法。
【請求項５】
前記関連パラメータは、プリアンブル識別子及び競合解決識別子の少なくとも一方を含む、請求項２に記載の方法。
【請求項６】
前記上りリソース割当情報は、データチャネルの上りリソース割当情報及び制御チャネルの上りリソース割当情報の少なくとも一方を含む、請求項２に記載の方法。
【請求項７】
前記の目標設定情報が運ばれたＭｓｇ２を前記ネットワーク側機器から受信することの後に、
前記Ｍｓｇ２に対するフィードバックメッセージを前記ネットワーク側機器に送信することを更に含み、
前記の前記Ｍｓｇ２に対するフィードバックメッセージを前記ネットワーク側機器に送信することは、
競合解決が成功したと決定された場合、前記Ｍｓｇ２に対するフィードバックメッセージを前記ネットワーク側機器に送信すること、又は、前記Ｍｓｇ２の受信に成功した場合、前記Ｍｓｇ２に対するフィードバックメッセージを前記ネットワーク側機器に送信することを含む、請求項２に記載の方法。
【請求項８】
前記の前記Ｍｓｇ２に対するフィードバックメッセージを前記ネットワーク側機器に送信することは、
前記Ｍｓｇ２に対するフィードバックメッセージをＨＡＲＱ方式で前記ネットワーク側機器に送信することを含む、請求項７に記載の方法。
【請求項９】
前記の前記Ｍｓｇ２に対するフィードバックメッセージを前記ネットワーク側機器に送信することの後に、
前記フィードバックメッセージの再送を指示する第１指示情報を前記ネットワーク側機器から受信した場合、前記Ｍｓｇ２に対するフィードバックメッセージを前記ネットワーク側機器に再送することを更に含む、請求項７に記載の方法。
【請求項１０】
ネットワーク側機器に応用されるランダムアクセス方法であって、
端末機器から送信された第１メッセージを受信することと、
目標設定情報が運ばれた応答メッセージを前記端末機器に送信することとを含み、
ここで、前記目標設定情報の少なくとも一部の設定情報と、端末機器が前記応答メッセージを受信する前に取得可能なパラメータである関連パラメータとの間に関連関係が存在する、ランダムアクセス方法。
【請求項１１】
前記第１メッセージは、２段階アクセス手順におけるＭｓｇ１であり、前記応答メッセージは、２段階アクセス手順におけるＭｓｇ２であり、
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項１０に記載の方法。
【請求項１２】
前記関連パラメータは、プリアンブル識別子及び競合解決識別子の少なくとも一方を含む、請求項１１に記載の方法。
【請求項１３】
前記上りリソース割当情報は、データチャネルの上りリソース割当情報及び制御チャネルの上りリソース割当情報の少なくとも一方を含む、請求項１１に記載の方法。
【請求項１４】
前記の目標設定情報が運ばれた応答メッセージを前記端末機器に送信することの後に、
前記端末機器から送信された前記Ｍｓｇ２に対するフィードバックメッセージを受信することを更に含む、請求項１１に記載の方法。
【請求項１５】
第１送信モジュールと、第１受信モジュールと、取得モジュールを含む端末機器であって、
第１送信モジュールは、第１メッセージをネットワーク側機器に送信し、
第１受信モジュールは、目標設定情報が運ばれた応答メッセージを前記ネットワーク側機器から受信し、ここで、前記目標設定情報の少なくとも一部の設定情報と、端末機器が前記応答メッセージを受信する前に取得可能なパラメータである関連パラメータとの間に関連関係が存在し、
取得モジュールは、前記目標設定情報のうち、前記端末機器の目標関連パラメータに関連する設定情報を、前記関連関係に基づいて取得する、端末機器。
【請求項１６】
前記第１メッセージは、２段階アクセス手順におけるＭｓｇ１であり、前記応答メッセージは、２段階アクセス手順におけるＭｓｇ２であり、
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項１５に記載の端末機器。
【請求項１７】
前記端末機器は、Ｍｓｇ２に運ばれるプリアンブル識別子が、Ｍｓｇ１で送信したプリアンブル識別子であると判断し、
前記端末機器の動作は、
該プリアンブル識別子に関連する競合解決識別子を競合解決に用いること、又は、該プリアンブル識別子に関連する上りリソース割当情報をＭｓｇ２のフィードバック情報の送信に用いること、又は、該プリアンブル識別子に関連する端末機器識別子を端末機器の識別子とすること、又は、該プリアンブル識別子に関連する無線接続設定情報を端末機器の無線接続設定情報とすることの少なくとも一方を含む、請求項１６に記載の端末機器。
【請求項１８】
前記端末機器が競合解決識別子に基づいて競合解決を判断した後、端末機器の動作は、
該競合解決識別子に関連する上りリソース割当情報をＭｓｇ２のフィードバック情報の送信に用いること、又は、該競合解決識別子に関連する端末機器識別子を接続状態ＵＥの識別子とすること、又は、該競合解決識別子に関連する無線接続設定情報を端末機器の無線接続設定情報とすることの少なくとも一方を含む、請求項１６又は１７に記載の端末機器。
【請求項１９】
前記の目標設定情報が運ばれたＭｓｇ２を前記ネットワーク側機器から受信することの後に、前記Ｍｓｇ２に対するフィードバックメッセージを前記ネットワーク側機器に送信する第２送信モジュールを更に含む、請求項１６に記載の端末機器。
【請求項２０】
端末機器から送信された第１メッセージを受信する第１受信モジュールと、
目標設定情報が運ばれた応答メッセージを前記端末機器に送信する第１送信モジュールとを含み、
ここで、前記目標設定情報の少なくとも一部の設定情報と、端末機器が前記応答メッセージを受信する前に取得可能なパラメータである関連パラメータとの間に関連関係が存在する、ネットワーク側機器。
【請求項２１】
前記第１メッセージは、２段階アクセス手順におけるＭｓｇ１であり、前記応答メッセージは、２段階アクセス手順におけるＭｓｇ２であり、
前記目標設定情報は、プリアンブル識別子、タイミングアドバンス、Ｍｓｇ２のフィードバックメッセージ伝送リソースを指示する上りリソース割当情報、端末機器識別子、競合解決識別子、及び無線接続設定情報の少なくとも一方を含む、請求項２０に記載のネットワーク側機器。
【請求項２２】
コンピュータプログラムが格納されているコンピュータ読み取り可能な記憶媒体であって、
前記コンピュータプログラムがプロセッサによって実行されると、請求項１〜９のいずれか１項に記載のランダムアクセス方法のステップが実現され、又は、請求項１０〜１４のいずれか１項に記載のランダムアクセス方法のステップが実現される、コンピュータ読み取り可能な記憶媒体。
【国際調査報告】
2021531702.tif 000012
2021531702.tif 000013
2021531702.tif 000014
2021531702.tif 000015